(57)【要約】【課題】原稿の取り忘れを防止することができる警告制御方法、複写装置、警告制御サーバ及び警告制御プログラムを提供する。【解決手段】ラインセンサ２ａ又は紙検出センサ２ｄから検出データ入力するＣＰＵ１１を用いて、原稿の取り忘れを警告する複合装置の警告制御方法であって、ＣＰＵ１１が、ユーザの複写作業が終了であるか否かを判断するとともに、ラインセンサ２ａ又は紙検出センサ２ｄに基づき、プラテン又はＡＤＦに取り忘れの原稿があるか否かを判断するとともに、ユーザの複写作業が終了であって、且つプラテン又はＡＤＦに原稿がある際に、終了画面をディスプレイ８に表示し、ユーザの複写作業が終了であって、且つプラテン又はＡＤＦに原稿がある際に、終了画面の図柄の色調、明度、形状のうち少なくとも一つを変更した警告画面をディスプレイ８に表示する。【選択図】      図２
2009134215.tif 000002
【特許請求の範囲】
【請求項１】
原稿を載置する載置領域の原稿を検出する用紙検出センサから検出データを入力する入
力手段と、警告制御コンピュータとを用いて、原稿の取り忘れを警告する警告制御方法で
あって、
前記警告制御コンピュータが、
ユーザの複写作業が終了であるか否かを判断するとともに、前記用紙検出センサに基づ
き、前記載置領域に取り忘れの原稿があるか否かを判断するとともに、
ユーザの複写作業が終了であって、且つ前記載置領域に原稿がない際に、終了案内画面
を表示手段に表示し、
ユーザの複写作業が終了であって、且つ前記載置領域に原稿が残されている際に、前記
終了案内画面の図柄の色調、明度、形状のうち少なくとも一つを変更した警告画面を前記
表示手段に表示することを特徴とする警告制御方法。
【請求項２】
原稿の取り忘れを警告する複写装置において、
原稿の読み取り面を走査して、複写データを生成する読み取り手段と、
前記複写データに基づき、前記原稿を複写した印刷物を出力する複写手段と、
原稿を載置する載置領域に原稿があるか否かを判断する用紙検出手段と、
ユーザの複写作業が終了であるか否かを判断する作業終了判断手段と、
ユーザの複写作業が終了である際に終了案内画面を表示手段に表示する第１出力制御手
段と、
ユーザの複写作業が終了であって、且つ前記載置領域に前記原稿が残されている際に、
前記終了案内画面の図柄の色調、明度、形状のうち少なくとも一つを変更した警告画面を
前記表示手段に表示する第２出力制御手段と
を備えたことを特徴とする複写装置。
【請求項３】
請求項２に記載の複写装置において、
前記第２出力制御手段は、互いに異なる複数の前記各警告画面のうち、各出力時点で一
つの警告画面を選択し、選択した前記警告画面を出力することを特徴とする複写装置。
【請求項４】
請求項３に記載の複写装置において、
前記第２出力制御手段は、選択した前記警告画面を出力した回数を計数し、その計数し
た回数が所定回数を超えた際に、新たな前記警告画面を出力することを特徴とする複写装
置。
【請求項５】
請求項２〜４のいずれか１項に記載の複写装置において、
前記第２出力制御手段は、前記終了案内画面と前記警告画面を交互に表示することを特
徴とする複写装置。
【請求項６】
請求項２〜５のいずれか１項に記載の複写装置において、
前記作業終了判断手段は、前記表示手段に表示した終了確認画面において、終了操作部
が入力操作された際に、複写作業終了であると判断することを特徴とする複写装置。
【請求項７】
請求項２〜５のいずれか１項に記載の複写装置において、
前記作業終了判断手段は、該複写装置に接続された人感センサ装置が、該複写装置の前
に存在するユーザを検出している状態から未検出状態に移行した際に、複写作業終了であ
ると判断する事を特徴とする複写装置。
【請求項８】
請求項２〜５のいずれか１項に記載の複写装置において、
複写作業を行うユーザを撮影可能な撮影装置から画像データを入力し、前記画像データ
を画像処理して前記ユーザの顔の向きを検出する画像処理手段をさらに備え、
前記作業終了判断手段は、前記ユーザの顔が該複写装置の方向以外の方向になった際に
、複写作業終了であると判断することを特徴とする複写装置。
【請求項９】
請求項２〜５のいずれか１項に記載の複写装置において、
前記作業終了判断手段は、該複写装置に接続された精算装置から精算完了信号を入力し
た際に、複写作業終了であると判断することを特徴とする複写装置。
【請求項１０】
請求項２〜５のいずれか１項に記載の複写装置において、
前記作業終了判断手段は、前記印刷物を印刷した後からの経過時間を計測するとともに
、前記印刷物を印刷した後の入力操作の有無を判断し、入力操作が無く、且つ前記経過時
間が所定時間以上となった際に、複写作業終了であると判断することを特徴とする複写装
置。
【請求項１１】
原稿の取り忘れを警告する警告制御サーバにおいて、
原稿を載置する載置領域に原稿があるか否かを判断する載置判断手段と、
ユーザの複写作業が終了であるか否かを判断する作業終了判断手段と、
ユーザの複写作業が終了である際に終了案内画面を表示手段に表示する第１出力制御手
段と、
ユーザの複写作業が終了であって、且つ前記載置領域に原稿が残されている際に、前記
終了案内画面の図柄の色調、明度、形状のうち少なくとも一つを変更した警告画面を前記
表示手段に表示する第２出力制御手段と
を備えたことを特徴とする警告制御サーバ。
【請求項１２】
原稿を載置する載置領域の原稿を検出する用紙検出センサから検出データを入力する入
力手段と、警告制御コンピュータとを用いて、原稿の取り忘れを警告する警告制御プログ
ラムであって、
前記警告制御コンピュータを、
ユーザの複写作業が終了であるか否かを判断する作業終了判断手段と、
前記用紙検出センサに基づき、前記載置領域に取り忘れの原稿があるか否かを判断する
載置判断手段と、
ユーザの複写作業が終了であって、且つ前記載置領域に原稿がない際に、終了案内画面
を表示手段に表示する第１出力制御手段と、
ユーザの複写作業が終了であって、且つ前記載置領域に原稿が残されている際に、前記
終了案内画面の図柄の色調、明度、形状のうち少なくとも一つを変更した警告画面を前記
表示手段に表示する第２出力制御手段
として機能させることを特徴とする警告制御プログラム。
【発明の詳細な説明】
【技術分野】
【０００１】
本発明は、警告制御方法、複写装置、警告制御サーバ及び警告制御プログラムに関する
。
【背景技術】
【０００２】
複写装置でコピーを行う際、ガラスからなるプラテンと原稿カバーとの間に原稿を載置
し、フラットベッド方式により原稿を読みとる場合と、自動的に原稿を紙送りするオート
シートフィダーにより原稿を読みとる場合がある。フラットベッド方式の場合には、原稿
が原稿カバーによって隠されるとともに、ユーザの注意が印刷物や精算機での釣り銭の受
け取りに向けられるため、原稿を取り忘れることが多い。また、オートシートフィダーを
用いた場合にも、排紙トレイが給紙トレイの下に配置されているため排紙された原稿が見
えにくくなり、取り忘れが発生する。
【０００３】
これに対し、コピーや課金処理が終了してもプラテン等に原稿が載置されている場合に
、警告音を出力したり、操作パネルに「原稿を取ってください」等の案内表示を行う複写
装置が提案されている（例えば特許文献１参照）。
【特許文献１】特開平１１−２７２１２８号公報
【発明の開示】
【発明が解決しようとする課題】
【０００４】
ところが、複写装置は、紙詰まり、印刷終了時、設定ミス等の場合にも、警告音を出力
するため、ユーザが警告音に慣れ、警告音を出力しても原稿の取り忘れに気付かないこと
がしばしばある。また、操作パネルに案内表示を出力しても、通常の画面との差異が小さ
い場合には、ユーザがその案内表示を見落とし、警告に気付かない場合がある。
【０００５】
本発明は、上記問題点に鑑みてなされたものであり、その目的は、原稿の取り忘れを防
止することができる警告制御方法、複写装置、警告制御サーバ及び警告制御プログラムを
提供することにある。
【課題を解決するための手段】
【０００６】
本発明は、原稿を載置する載置領域の原稿を検出する用紙検出センサから検出データを
入力する入力手段と、警告制御コンピュータとを用いて、原稿の取り忘れを警告する警告
制御方法であって、前記警告制御コンピュータが、ユーザの複写作業が終了であるか否か
を判断するとともに、前記用紙検出センサに基づき、前記載置領域に取り忘れの原稿があ
るか否かを判断するとともに、ユーザの複写作業が終了であって、且つ前記載置領域に原
稿がない際に、終了案内画面を表示手段に表示し、ユーザの複写作業が終了であって、且
つ前記載置領域に原稿が残されている際に、前記終了案内画面の図柄の色調、明度、形状
のうち少なくとも一つを変更した警告画面を前記表示手段に表示する。
【０００７】
これによれば、ユーザの複写作業が終了した状態で、載置領域に原稿がある場合、通常
時に表示される終了案内画面の図柄の色調、明度、形状のうち少なくとも一つが変更され
た警告画面が表示手段に表示される。即ち、原稿を取り忘れた場合に、表示手段に見慣れ
ない画面を表示するので、ユーザの注意を警告画面に向けさせることができる。そして、
警告画面を視認させることにより、載置された原稿に気付かせることができる。
【０００８】
本発明は、原稿の取り忘れを警告する複写装置において、原稿の読み取り面を走査して
、複写データを生成する読み取り手段と、前記複写データに基づき、前記原稿を複写した
印刷物を出力する複写手段と、原稿を載置する載置領域に原稿があるか否かを判断する用
紙検出手段と、ユーザの複写作業が終了であるか否かを判断する作業終了判断手段と、ユ
ーザの複写作業が終了である際に終了案内画面を表示手段に表示する第１出力制御手段と
、ユーザの複写作業が終了であって、且つ前記載置領域に前記原稿が残されている際に、
前記終了案内画面の図柄の色調、明度、形状のうち少なくとも一つを変更した警告画面を
前記表示手段に表示する第２出力制御手段とを備えた。
【０００９】
これによれば、ユーザの複写作業が終了した状態で、載置領域に原稿がある場合、通常
時に表示される終了案内画面の図柄の色調、明度、形状のうち少なくとも一つが変更され
た警告画面が表示手段に表示される。即ち、原稿を取り忘れた場合に、表示手段に見慣れ
ない画面を表示するので、ユーザの注意を警告画面に向けさせることができる。そして、
警告画面を視認させることにより、載置された原稿に気付かせることができる。
【００１０】
この複写装置において、前記第２出力制御手段は、互いに異なる複数の前記各警告画面
のうち、各出力時点で一つの警告画面を選択し、選択した前記警告画面を出力する。
これによれば、複数の警告画面から、一つの警告画面が各時点で選択される。このよう
に複数のパターンの警告画面を表示することにより、原稿の取り忘れがある場合に常に見
慣れない画面を表示することができる。
【００１１】
この複写装置において、前記第２出力制御手段は、選択した前記警告画面を出力した回
数を計数し、その計数した回数が所定回数を超えた際に、新たな前記警告画面を出力する
。
【００１２】
これによれば、第１の警告画面を出力した回数を計数し、その計数した回数が所定回数
を超えた場合に、第２の警告画面を新たに表示する。このため、原稿の取り忘れがある場
合に常に見慣れない画面を表示することができる。
【００１３】
この複写装置において、前記第２出力制御手段は、前記終了案内画面と前記警告画面を
交互に表示する。
これによれば、終了案内画面と警告画面とを交互に出力することにより、終了案内画面
と警告画面とを対比させることができる。このため、見慣れない画面にすぐに気が付くこ
とができる。
【００１４】
この複写装置において、前記作業終了判断手段は、前記表示手段に表示した終了確認画
面において、終了操作部が入力操作された際に、複写作業終了であると判断する。
これによれば、ユーザが作業終了と判断するタイミングと、作業終了判断手段が作業終
了であると判断するタイミングとを一致させることができる。このため、ユーザが作業を
継続しているにも関わらず、原稿の取り忘れを警告する警告画面を表示することなく、的
確なタイミングで原稿の取り忘れの警告を行うことができる。
【００１５】
この複写装置において、前記作業終了判断手段は、該複写装置に接続された人感センサ
装置が、該複写装置の前に存在するユーザを検出している状態から未検出状態に移行した
際に、複写作業終了であると判断する。
【００１６】
これによれば、人感センサ装置が人を検出した状態から、未検出状態に移行した際に、
複写作業終了であると判断する。このため、ユーザが作業を継続しているにも関わらず、
原稿の取り忘れを警告する警告画面を表示することなく、的確なタイミングで原稿の取り
忘れの警告を行うことができる。
【００１７】
この複写装置において、複写作業を行うユーザを撮影可能な撮影装置から画像データを
入力し、前記画像データを画像処理して前記ユーザの顔の向きを検出する画像処理手段を
さらに備え、前記作業終了判断手段は、前記ユーザの顔が該複写装置の方向以外の方向に
なった際に、複写作業終了であると判断する。
【００１８】
これによれば、画像処理手段によりユーザの顔の向きが検出され、ユーザの顔の向きが
複写装置以外を向いた場合に、複写作業終了であると判断する。このため、ユーザが複写
装置に原稿を置き忘れた状態で、その場を離れる前に原稿の取り忘れの警告を行うことが
できる。
【００１９】
この複写装置において、前記作業終了判断手段は、該複写装置に接続された精算装置か
ら精算完了信号を入力した際に、複写作業終了であると判断する。
これによれば、精算装置から精算完了信号を入力した際に、複写作業終了であると判断
する。このため、ユーザが作業終了と判断するタイミングと、作業終了判断手段が作業終
了であると判断するタイミングとを一致させることができる。このため、ユーザが作業を
継続しているにも関わらず、原稿の取り忘れを警告する警告画面を表示することなく、的
確なタイミングで原稿の取り忘れの警告を行うことができる。
【００２０】
この複写装置において、前記作業終了判断手段は、前記印刷物を印刷した後からの経過
時間を計測するとともに、前記印刷物を印刷した後の入力操作の有無を判断し、入力操作
が無く、且つ前記経過時間が所定時間以上となった際に、複写作業終了であると判断する
。
【００２１】
これによれば、印刷物を印刷した後、ユーザによる入力操作が所定時間以上無い場合に
、複写作業終了であると判断する。このため、ユーザが複写装置を操作中にもかかわらず
、原稿の取り忘れを警告する警告画面を表示することなく、的確なタイミングで原稿の取
り忘れの警告を行うことができる。
【００２２】
本発明は、原稿の取り忘れを警告する警告制御サーバにおいて、原稿を載置する載置領
域に原稿があるか否かを判断する載置検出手段と、ユーザの複写作業が終了であるか否か
を判断する作業終了判断手段と、ユーザの複写作業が終了である際に終了案内画面を表示
手段に表示する第１出力制御手段と、ユーザの複写作業が終了であって、且つ前記載置領
域に原稿が残されている際に、前記終了案内画面の図柄の色調、明度、形状のうち少なく
とも一つを変更した警告画面を前記表示手段に表示する第２出力制御手段とを備えた。
【００２３】
これによれば、ユーザの複写作業が終了した状態で、載置領域に原稿がある場合、通常
時に表示される終了案内画面の図柄の色調、明度、形状のうち少なくとも一つが変更され
た警告画面が表示手段に表示される。即ち、原稿を取り忘れた場合に、表示手段に見慣れ
ない画面を表示するので、ユーザの注意を警告画面に向けさせることができる。そして、
警告画面を視認させることにより、載置された原稿に気付かせることができる。
【００２４】
本発明は、原稿を載置する載置領域の原稿を検出する用紙検出センサから検出データを
入力する入力手段と、警告制御コンピュータとを用いて、原稿の取り忘れを警告する警告
制御プログラムであって、前記警告制御コンピュータを、ユーザの複写作業が終了である
か否かを判断する作業終了判断手段と、前記用紙検出センサに基づき、前記載置領域に取
り忘れの原稿があるか否かを判断する載置判断手段と、ユーザの複写作業が終了であって
、且つ前記載置領域に原稿がない際に、終了案内画面を表示手段に表示する第１出力制御
手段と、ユーザの複写作業が終了であって、且つ前記載置領域に原稿が残されている際に
、前記終了案内画面の図柄の色調、明度、形状のうち少なくとも一つを変更した警告画面
を前記表示手段に表示する第２出力制御手段として機能させる。
【００２５】
これによれば、ユーザの複写作業が終了した状態で、載置領域に原稿がある場合、通常
時に表示される終了案内画面の図柄の色調、明度、形状のうち少なくとも一つが変更され
た警告画面が表示手段に表示される。即ち、原稿を取り忘れた場合に、表示手段に見慣れ
ない画面を表示するので、ユーザの注意を警告画面に向けさせることができる。そして、
警告画面を視認させることにより、載置された原稿に気付かせることができる。
【発明を実施するための最良の形態】
【００２６】
（第１の実施形態）
以下、本発明を具体化した第１の実施形態を図１〜図７に従って説明する。
図１は、本実施形態の複写装置１の全体を示す概略図、図２は複写装置１の電気的構成
を示すブロック図である。複写装置１は、読み取り手段としてのスキャナ２、複写手段と
してのプリンタ３、載置領域としての原稿自動送り装置（以下、ＡＤＦ（Auto Document 
Feeder）という）４を備えている。また、複写装置１は、表示手段及び終了操作部として
のディスプレイ８に接続されている。
【００２７】
図２に示すように、複写装置１は、スキャナ２及びプリンタ３を制御するコントローラ
１０を備えている。このコントローラ１０は、作業終了判断手段、第１出力制御手段、第
２出力制御手段、入力手段、載置判断手段としてのＣＰＵ１１、ＡＳＩＣ１２、ＲＯＭ１
３、ＲＡＭ１４、フレームメモリ１５、外部入力Ｉ／Ｆ１６、タイマ１７を有している。
ＣＰＵ１１は、ＲＯＭ１３に記憶された専用プログラムに従って、各種画面の表示、原稿
の取り忘れの検出及び警告処理等を行う。ＲＯＭ１３には、ディスプレイ８に各種画面を
表示するための画像データが格納されている。
【００２８】
ＡＳＩＣ１２は、複写装置１専用のＬＳＩであって、スキャナ駆動回路１８を介して、
スキャナ２を駆動する。図２に示すように、スキャナ２は、フォトダイオードを配列した
用紙検出手段としてのラインセンサ２ａ、光源、ミラー、レンズ等を含む光学機構２ｂ、
入力信号処理部２ｃ（図２参照）及び用紙検出手段としての紙検出センサ２ｄと、ガラス
板からなる載置領域としてのプラテン５（図１参照）とを備えている。光源から、プラテ
ン５を介して、プラテン５上に載置された原稿に光が照射されると、ラインセンサ２ａは
、原稿の読み取り面に反射した反射光を検出して電気信号に変換する。そして、主走査方
向に移動しながら走査を繰り返し、複写データを生成する。複写データは、入力信号処理
部２ｃによってＡ／Ｄ変換され、印刷データとしてＡＳＩＣ１２に出力される。ＡＳＩＣ
１２は、入力信号処理部２ｃから入力した印刷データをフレームメモリ１５に格納する。
また、ラインセンサ２ａは、主走査方向に移動しながら反射光を検出し、プラテン５上に
原稿があるか否かを検出するとともに、原稿を検出した場合にはその原稿サイズも検出す
る。
【００２９】
図１に示すように、スキャナ２の上方には、ＡＤＦ４が設けられている。ＡＤＦ４は、
原稿をセットする給紙部４ａと、スキャナ２により読み取られた原稿を排紙する排紙トレ
イ４ｂとを有している。給紙部４ａにセットされた原稿は、ＡＤＦ４が有する排紙ローラ
（図示略）によって、スキャナ２側に順次紙送りされ、ラインセンサ２ａによって読み取
られた後、排紙トレイ４ｂに排紙される。排紙トレイ４ｂには、赤外線センサ等の紙検出
センサ２ｄが設けられ、排紙トレイ４ｂに原稿があるか否かを検出する。
【００３０】
また、ＡＳＩＣ１２は、フレームメモリ１５に格納された印刷データと、ユーザによっ
て指定された出力サイズ、枚数等とに基づき印刷ジョブを生成し、その印刷ジョブに基づ
きプリンタ駆動回路１９を介してプリンタ３を駆動する。図２に示すように、プリンタ３
は、紙送り機構３ａ及び印刷機構３ｂを備えている。紙送り機構３ａは、給紙ローラ、排
紙ローラ等を備え、印刷用紙を印刷機構３ｂ側に搬送する。印刷機構３ｂは、スキャナ２
によって生成された印刷データに基づき、感光ドラムを露光して、ドラム表面に潜在画像
を生成し、感光ドラムにトナーを付着させ、印刷用紙にそのトナーを転写する（いずれも
図示略）。複写画像が転写された印刷物Ｐ（図１参照）は、プリンタ３の上に設けられた
排紙トレイ６に排紙される。
【００３１】
また、コントローラ１０のＣＰＵ１１は、外部入力Ｉ／Ｆ１６を介して、ディスプレイ
８及び精算装置としての精算機９とデータを送受信可能に接続されている。ディスプレイ
８は、感圧式又は静電式のタッチパネルであって、ＣＰＵ１１の主制御に従ってコピー設
定画面、請求料金画面等の各種画面を表示する。
【００３２】
また、ＣＰＵ１１は、一つの印刷ジョブが終了すると、ディスプレイ８に終了ボタンを
表示する。終了ボタンが押釦されると、ＣＰＵ１１は、プラテン５又はＡＤＦ４の排紙ト
レイ４ｂに原稿があるか否かをラインセンサ２ａ又は紙検出センサ２ｄからの検出データ
に基づき判断し、原稿がある場合には、取り忘れであると判断して警告を行う。また、デ
ィスプレイ８で設定された出力サイズ、枚数、カラーコピー又は白黒コピー等のコピー種
類に基づき、コピーの請求料金を演算し、請求料金をディスプレイ８に出力するとともに
、精算機９に送信する。
【００３３】
図１に示すように、精算機９は、カード挿入口９ａ、返金レバー９ｂ、返金口９ｃ、図
示しない紙幣投入口及びコイン投入口、コントローラを備えている。精算機９のコントロ
ーラは、カード挿入口９ａに、プリペイドカード等が挿入されると、そのプリペイドカー
ドのＩＣ等に記憶された残金から、複写装置１から指定された請求金額を差し引く課金処
理を行う。また、紙幣投入口及びコイン投入口に紙幣又はコインが投入されると、コント
ローラは、投入金額と請求金額とを比較し、釣り銭が必要であるか否かを判断する。そし
て返金レバー９ｂが押釦された場合に、釣り銭を返金口９ｃから返金する。
【００３４】
また、ＣＰＵ１１は、外部入力Ｉ／Ｆ１６を介して、人感センサ装置Ｓ（図２参照）と
接続されている。人感センサ装置Ｓは、人体から発せられる赤外線を検知し、人が接近し
たことを検出する。複写装置１が省電力状態であるときに、人感センサ装置Ｓが人の接近
を検出すると、ＣＰＵ１１は複写装置１を起動する。
【００３５】
次に、本実施形態の処理手順について図３及び図４に従って説明する。まず、ＣＰＵ１
１は、コピーが開始されるのを待機する（ステップＳ１）。本実施形態では、コピーを開
始するためのタッチパネル操作、複写装置１に設けられた操作スイッチの押釦操作等が行
われると、ＣＰＵ１１はコピー開始であると判断し（ステップＳ１においてＹＥＳ）、原
稿の読み取り及び印刷を行う（ステップＳ２）。このとき、ＡＳＩＣ１２は、スキャナ駆
動回路１８を介してスキャナ２を駆動し、原稿の読み取りを行い、印刷データを生成する
。そして、生成された印刷データをフレームメモリ１５に記憶する。また、ＡＳＩＣ１２
は、プリンタ駆動回路１９を介してプリンタ３を駆動し、フレームメモリ１５に記憶され
た印刷データと、ユーザによって指定された出力サイズ及び印刷枚数に基づき印刷ジョブ
を生成し、その印刷ジョブに基づき印刷物Ｐ（図１参照）を生成する。
【００３６】
一つの印刷ジョブが終了すると、ＣＰＵ１１は、ユーザがコピー作業を終了するか否か
を判断する（ステップＳ３）。本実施形態では、ＣＰＵ１１は、印刷ジョブが終了した時
点で、ＲＯＭ１３に格納された画面を表示するための画像データを読出し、図５に示す終
了確認画面３０を表示する。そして、この終了確認画面３０の終了実行部３０ａがユーザ
によって入力操作された際に、コピー作業が終了したと判断する（ステップＳ３において
ＹＥＳ）。
【００３７】
終了確認画面３０のうち、コピー設定画面に遷移する等の動作を実行する継続実行部３
０ｂが入力操作された場合には（ステップＳ３においてＮＯ）、ＣＰＵ１１は、コピー設
定画面等を表示して、ステップＳ２に戻る。
【００３８】
コピー作業を終了すると判断した場合（ステップＳ３においてＹＥＳ）、コピー作業の
終了時点からの経過時間をタイマ１７に基づき計測する。そして、ＣＰＵ１１は、プラテ
ン５又は排紙トレイ４ｂに原稿が載置されているか否かを判断する（ステップＳ４）。Ｃ
ＰＵ１１は、ラインセンサ２ａ又は紙検出センサ２ｄに基づき、原稿の有無を判断し、プ
ラテン５及び排紙トレイ４ｂに原稿が載置されていないと判断した場合には（ステップＳ
４においてＮＯ）、図６（ａ）に示す終了案内画面としての終了画面３１をディスプレイ
８に表示する（ステップＳ５）。
【００３９】
図６（ａ）に示す終了画面３１には、複写装置１を簡略化して示した複写装置画像３１
ａと、複写装置１の近傍に立つ人物を示した人物画像３１ｂとが表示されている。複写装
置画像３１ａ及び人物画像３１ｂは、カラー画像であって、複写装置画像３１ａは、白、
灰色等、実際の複写装置１とほぼ同じ色で描画されている。さらに、人物画像３１ｂの顔
３１ｆ、手３１ｇ、脚３１ｈ等は、白や肌色等、実際の肌の色に近い色で描画されている
。また、終了画面３１には、コピー終了を示す案内表示３１ｉが表示されている。終了画
面３１を表示すると、ステップＳ１に戻り、コピーが開始されるのを待機する。
【００４０】
一方、プラテン５又は排紙トレイ４ｂに原稿が載置されていると判断した場合（ステッ
プＳ４においてＹＥＳ）、警告表示を行う（ステップＳ６）。この警告表示について、図
４に従って説明する。本実施形態の複写装置１は、原稿の取り忘れに対して、複数の警告
パターンを有しており、本実施形態では、ＣＰＵ１１は、第１〜第ｎの警告パターン（ｎ
は２以上の自然数）を所定回数繰り返す。ここでは、前回の警告において第１の警告パタ
ーンを行ったものとして説明する。
【００４１】
ＣＰＵ１１は、各警告パターンを行った回数を、カウンタを用いて計測する。カウンタ
のカウンタ値は、ＲＡＭ１４等に記憶する。図４に示すように、このカウンタ値に基づき
、ＣＰＵ１１は、前回行った第１の警告パターンの表示回数が所定回数を超えたか否かを
、カウンタのカウンタ値により判断する（ステップＳ６−１）。第１の警告パターンの表
示回数が所定回数（例えば５回）未満であると判断した場合（ステップＳ６−１において
ＮＯ）、複数の警告パターンのうち、前回と同じ画面を選択し（ステップＳ６−２）、選
択した画面を表示する（ステップＳ６−３）。このとき、ＣＰＵ１１は、第１の警告パタ
ーンとして、ＲＯＭ１３から画像データを読み出して、図６（ａ）に示す終了画面３１と
、図６（ｂ）に示す第１警告画面３２とを交互にディスプレイ８に表示し、ユーザの注意
を促す。
【００４２】
図６（ｂ）に示す第１警告画面３２には、複写装置画像３２ａ及び人物画像３２ｂが、
部分的に赤色に描画されている。第１警告画面３２の複写装置画像３２ａは、終了画面３
１の複写装置画像３１ａと同じ形状であるが、ＡＤＦ４に相当するカバー画像３２ｃ、プ
ラテン５の枠を示すプラテン枠画像３２ｄ、プラテン５の上に載置された原稿Ｇを示す原
稿画像３２ｅが赤く描画されている点で異なっている。即ち、第１警告画面３２では、取
り忘れた原稿Ｇや、その周辺の部材（カバー画像３２ｃやプラテン枠画像３２ｄ）を赤い
警告色にすることで、ユーザの原稿への注意を促している。
【００４３】
また、人物画像３２ｂは、人物の顔３２ｆ、手３２ｇ、脚３２ｈ等が、赤く表示されて
いる。ユーザは、本来肌色に近い色であるはずの顔３２ｆ、手３２ｇ、脚３２ｈが赤くな
った見慣れない画面が表示されているため、自然と画面に注目し、その画面の意味を読み
取ろうとする。本実施形態では、人物画像３１ｂの近くに、原稿の取り忘れがあることを
示す案内表示３２ｉが表示されているので、ユーザが画面に注目した際に、原稿の取り忘
れにすぐに気付くことができる。
【００４４】
ＣＰＵ１１は、終了画面３１及び第１警告画面３２を所定の周期（例えば０．５秒〜３
秒）で交互に表示する。これにより、原稿Ｇ及びその周辺の部材は、赤く点滅して見える
。このため、終了画面３１及び第１警告画面３２を対比しやすくなり、原稿の取り忘れを
より気付きやすくすることができる。
【００４５】
終了画面３１及び第１警告画面３２を所定回数又は所定時間表示すると、ＣＰＵ１１は
、表示回数を計数するカウンタをインクリメントして、「表示回数」に１を加算する（ス
テップＳ６−４）。
【００４６】
一方、ステップＳ６−１において、表示回数が所定回数超であると判断した場合（ステ
ップＳ６−１においてＹＥＳ）、ＣＰＵ１１は、カウンタをリセットして、表示回数を「
０」に設定する（ステップＳ６−５）。そして、第１の警告パターンとは異なる、新しい
警告画面（ここでは第２の警告パターンの画面）を選択し（ステップＳ６−６）、選択し
た警告画面を表示する（ステップＳ６−７）。第２の警告パターンでは、ＲＯＭ１３から
画像データを読み出して、図６（ａ）に示す終了画面３１と図７に示す第２警告画面３３
とを所定の周期で交互に表示する。第２警告画面３３は、図６（ａ）の終了画面３１を、
右側画像３３ａと左側画像３３ｂとを、境界３３ｄによって分裂させて表示している。こ
れにより、複写装置画像３３ｃは２つに分裂した状態になる。その結果、終了画面３１と
異なる見慣れない画面になるので、ユーザを画面に注目させることができる。
【００４７】
このように、所定回数毎に警告画面が変わるため、ユーザにとって常に見慣れない警告
画面がディスプレイ８に表示される。このため、警告画面がディスプレイ８に表示された
場合、ユーザは、見慣れない画面に注目し、原稿の取り忘れに気付く。
【００４８】
警告表示（ステップＳ６）及び案内表示（ステップＳ５）を行うと、ステップＳ７に進
む。ステップＳ７では、複写装置１を初期状態に戻すか否かを判断する。ここではＣＰＵ
１１は、コピー作業が終了した時点からの時間を計測した継続時間が所定時間継続してい
るか否かを判断する。所定時間継続していると判断すると、初期状態に戻すと判断し（ス
テップＳ７においてＹＥＳ）、ステップＳ１に戻りコピー設定画面等の初期画面を表示し
て、コピーが開始されるのを待機する。また、継続時間が所定時間未満である場合（ステ
ップＳ７においてＮＯ）、ステップＳ４に戻る。そして、原稿が取り除かれていない場合
には（ステップＳ４においてＹＥＳ）、警告表示を行う（ステップＳ６）。第２の警告パ
ターンを所定回数以上行った場合には、次の第３の警告パターンを行う。そして、第ｎの
警告パターンを終了した場合には、再び第１の警告パターンを繰り返す。
【００４９】
第１の実施形態によれば、以下のような効果を得ることができる。
（１）第１の実施形態では、複写装置１のＣＰＵ１１は、ユーザの複写作業が終了した
状態で、プラテン５又は排紙トレイ４ｂに原稿がある場合、通常時に表示される終了画面
３１の図柄の色を変更した第１警告画面３２を、終了画面３１と交互にディスプレイ８に
表示するようにした。また、第２の警告パターンとして、終了画面３１の図柄の一部を変
更した第２警告画面３３を終了画面３１と交互に表示するようにした。即ち、原稿を取り
忘れた場合に、ディスプレイ８に見慣れない画面を表示することで、ユーザの注意を第１
警告画面３２に向けさせることができる。そして、第１警告画面３２を視認させることに
より、載置された原稿に気付かせることができる。
【００５０】
（２）第１の実施形態では、複写装置１が原稿の取り忘れを検出した際に、第１〜第ｎ
の警告パターン（ｎは２以上の自然数）を順番に繰り返して表示するようにした。このた
め、各時点で出力される警告画面を、使用頻度が高いユーザにとっても見慣れない画面に
することができる。このため、ユーザの注意を引きつけることができる。
【００５１】
（３）第１の実施形態では、各警告画面３２，３３を出力した計数をカウントし、警告
画面の出力回数が所定回数以上である場合には、次の異なる警告画面を新たに表示するよ
うにした。このため、使用頻度が高く、原稿を取り忘れがちなユーザが、同じ警告画面３
２，３３を繰り返し見る確率を小さくすることができる。
【００５２】
（４）第１の実施形態では、第１警告画面３２を、終了画面３１の複写装置画像３１ａ
及び人物画像３１ｂの一部が、警告色である赤に変更した画面とした。即ち、通常見慣れ
ている画面の一部が変更されているため、ユーザの注意をひきつけやすくすることができ
る。
【００５３】
（５）第１の実施形態では、ＣＰＵ１１により、終了確認画面３０の終了実行部３０ａ
がユーザによって入力操作された際に複写作業終了であると判断するようにした。このた
め、ユーザが作業終了と判断するタイミングと、複写装置１が作業終了であると判断する
タイミングとを一致させることができる。従って、ユーザが作業を継続しているにも関わ
らず、原稿の取り忘れを警告する警告画面を表示することなく、的確なタイミングで原稿
の取り忘れの警告を行うことができる。
【００５４】
（第２の実施形態）
次に、本発明を具体化した第２の実施形態を図８に従って説明する。尚、第２の実施形
態は、第１の実施形態の警告表示を出力するタイミングを変更したのみの構成であるため
、同様の部分についてはその詳細な説明を省略する。
【００５５】
まず、ＣＰＵ１１は、原稿取り忘れを防止する警告処理において、印刷ジョブが終了し
たか否かを判断する（ステップＳ１０）。印刷ジョブが終了していない場合には（ステッ
プＳ１０においてＮＯ）、ステップＳ１０の処理を繰り返し行う。印刷ジョブが終了した
と判断した場合には（ステップＳ１０においてＹＥＳ）、ラインセンサ２ａ又は紙検出セ
ンサ２ｄに基づき、プラテン５又はＡＤＦ４の排紙トレイ４ｂに原稿が載置されているか
否かを判断する（ステップＳ１１）。
【００５６】
原稿がプラテン５又は排紙トレイ４ｂに載置されていないと判断した場合には（ステッ
プＳ１１においてＮＯ）、ステップＳ５に進み、終了画面３１を表示する。一方、原稿が
プラテン５又は排紙トレイ４ｂに載置されていると判断した場合には（ステップＳ１１に
おいてＹＥＳ）、ＣＰＵ１１は、人感センサ装置Ｓに基づき、ユーザが複写装置１から離
間したか否かを判断する（ステップＳ１２）。即ち、ユーザが釣り銭の受け取り、印刷物
Ｐの受け取り等を行っている場合には、人感センサ装置Ｓは、複写装置１の前の人を検出
している。そして、ユーザが原稿を取り忘れた状態で複写装置１から離れた場合、人感セ
ンサ装置Ｓが、その検出範囲（例えば５ｍ）内に人を検出しない状態となり、ＣＰＵ１１
は、ユーザが複写装置１から離間したと判断する（ステップＳ１２においてＹＥＳ）。こ
の場合、ＣＰＵ１１は、上記した警告表示を行う（ステップＳ６）。このため、ユーザが
複写装置１から離れかけた場合にも、原稿の取り忘れを示唆する上記した第１警告画面３
２又は第２警告画面３３がディスプレイ８に表示されるので、ユーザは原稿の取り忘れに
気付くことができる。
【００５７】
また、人感センサ装置Ｓが人を検出している状態である場合には、ＣＰＵ１１は、ユー
ザが複写装置１から離間していないと判断し（ステップＳ１２においてＮＯ）、案内表示
を表示する（ステップＳ５）。
【００５８】
第２の実施形態によれば、第１の実施形態の（１）〜（４）に記載の効果に加えて以下
のような効果を得ることができる。
（６）第２の実施形態では、複写装置１のＣＰＵ１１は、印刷ジョブが終了した後、人
感センサ装置Ｓが人を検出した状態から、未検出状態に移行した際に、複写作業終了であ
ると判断する。このため、ユーザが作業を継続しているにも関わらず、原稿の取り忘れを
警告する警告画面を表示することなく、的確なタイミングで原稿の取り忘れの警告を行う
ことができる。
【００５９】
（第３の実施形態）
次に、本発明を具体化した第３の実施形態を図９及び図１０に従って説明する。尚、第
３の実施形態は、第１の実施形態の複写装置１に、撮影装置としてのカメラ２０から入力
した画像データを画像処理する画像処理手段としての画像処理部２１を設けた点と、警告
表示を出力するタイミングを変更した構成のみ異なるため、同様の部分についてはその詳
細な説明を省略する。
【００６０】
図９に示すように、画像処理部２１は、カメラ２０と接続されている。カメラ２０は、
ＡＤＦ４の上等、複写装置１の前に立ったユーザと対面する位置に取り付けられ、ユーザ
の顔を撮影可能になっている。画像処理部２１は、カメラ２０から画像データを入力し、
その画像データに対し、パターン認識等、公知の画像処理を行い、ユーザの顔の向きを検
出する。
【００６１】
図１０に示すように、ＣＰＵ１１は、印刷ジョブが終了したか否かの判断を繰り返す（
ステップＳ１５）。印刷ジョブが終了したと判断すると（ステップＳ１５においてＹＥＳ
）、ラインセンサ２ａ又は紙検出センサ２ｄに基づき、プラテン５又はＡＤＦ４の排紙ト
レイ４ｂに原稿が載置されているか否かを判断する（ステップＳ１６）。原稿が載置され
ていないと判断した場合（ステップＳ１６においてＮＯ）、終了画面３１を表示する（ス
テップＳ５）。
【００６２】
原稿が載置されていると判断した場合（ステップＳ１６においてＹＥＳ）、画像処理部
２１により、ユーザの顔の向きを検出する（ステップＳ１７）。そして、ＣＰＵ１１は、
画像処理部２１により検出されたユーザの顔の向きが、複写装置１以外の方向であるか否
かを判断する（ステップＳ１８）。
【００６３】
ユーザの顔の向きが複写装置１以外であると判断した場合には（ステップＳ１８におい
てＹＥＳ）、印刷が終了した際に原稿が載置されているにも関わらず、ユーザが他の方向
に注意を向けているため、上記した警告表示を行う（ステップＳ６）。一方、ユーザの顔
の向きが複写装置１の方向であると判断した場合には（ステップＳ１８においてＮＯ）、
終了画面３１を表示する（ステップＳ５）。
【００６４】
第３の実施形態によれば、第１の実施形態の（１）〜（４）に記載の効果に加えて以下
のような効果を得ることができる。
（７）第３の実施形態では、複写装置１は、複写装置１の前に立つユーザを撮影可能な
カメラ２０から画像データと接続されるようにした。また、入力した画像データを画像処
理する画像処理部２１を備えるようにした。このため、ユーザの顔の向きが検出され、ユ
ーザの顔の向きが複写装置１以外を向いた場合に、複写作業終了であると判断する。この
ため、ユーザが複写装置１に原稿を置き忘れた状態で、その場を離れる前に原稿の取り忘
れの警告を行うことができる。
【００６５】
（第４の実施形態）
次に、本発明を具体化した第４の実施形態を図１１に従って説明する。尚、第４の実施
形態は、第１の実施形態の警告表示を出力するタイミングを変更した構成のみ異なるため
、同様の部分についてはその詳細な説明を省略する。
【００６６】
ＣＰＵ１１は、まず印刷ジョブが終了したか否かを判断する（ステップＳ２０）。印刷
ジョブが終了したと判断すると（ステップＳ２０においてＹＥＳ）、ＣＰＵ１１は、請求
したコピー料金の精算が終了したか否かを判断する（ステップＳ２１）。具体的には、Ｃ
ＰＵ１１は、精算機９からの精算完了信号を入力したか否かを判断する。精算機９のコン
トローラが、ＣＰＵ１１から入力した請求料金に基づき、プリペイドカードのＩＣ等に記
憶された残金から精算料金分を減算すると、複写装置１に対して精算完了信号を出力する
。又は、精算機９は、ＣＰＵ１１から入力した請求料金に基づき、紙幣投入口又はコイン
投入口（図示略）に料金が投入されたと判断すると精算完了信号を出力する。
【００６７】
複写装置１のＣＰＵ１１は、精算完了信号を入力すると、精算完了であると判断し（ス
テップＳ２１においてＹＥＳ）、ラインセンサ２ａ又は紙検出センサ２ｄに基づきプラテ
ン５又は排紙トレイ４ｂに原稿が載置されているか否かを判断する（ステップＳ２２）。
原稿が載置されていると判断した場合（ステップＳ２２においてＹＥＳ）、精算が完了し
たにも関わらず、原稿がまだ取り除かれていないため、上記した警告表示を行う（ステッ
プＳ６）。これにより、精算が完了した後、釣り銭の受け取り等にユーザの注意が向けら
れている場合にも、見慣れない画面をディスプレイ８に表示することで、原稿の受け取り
を促すことができる。一方、原稿が載置されていない場合には（ステップＳ２１において
ＮＯ）、終了画面３１を表示する（ステップＳ５）。
【００６８】
第４の実施形態によれば、第１の実施形態の（１）〜（４）に記載の効果に加えて以下
のような効果を得ることができる。
（８）第４の実施形態では、複写装置１のＣＰＵ１１が、精算機９から精算完了信号を
入力した際に、複写作業終了であると判断する。このため、ユーザが作業終了と判断する
タイミングと、作業終了判断手段が作業終了であると判断するタイミングとを一致させる
ことができる。このため、ユーザが作業を継続しているにも関わらず、原稿の取り忘れを
警告する警告画面を表示することを防止することができる。従って、的確なタイミングで
原稿の取り忘れの警告を行うことができる。
【００６９】
（第５の実施形態）
次に、本発明を具体化した第５の実施形態を図１２に従って説明する。尚、第５の実施
形態は、第１の実施形態の警告表示を出力するタイミングを変更した構成のみ異なるため
、同様の部分についてはその詳細な説明を省略する。
【００７０】
図１２に示すように、ＣＰＵ１１は、印刷ジョブが終了したか否かを判断する（ステッ
プＳ２５）。印刷ジョブが終了したと判断すると（ステップＳ２５においてＹＥＳ）、Ｃ
ＰＵ１１は、原稿が載置されているか否かを判断する（ステップＳ２６）。原稿が載置さ
れていないと判断した場合（ステップＳ２６においてＮＯ）、終了画面３１の表示を行う
（ステップＳ５）。
【００７１】
ＣＰＵ１１が、原稿が載置されていると判断した場合（ステップＳ２６においてＹＥＳ
）、タイマ１７を用いて、その時点からの経過時間を計測する（ステップＳ２７）。そし
て、ＣＰＵ１１は、印刷ジョブが終了した後、複写装置１の操作スイッチ（図示略）、タ
ッチパネル（ディスプレイ８）の入力操作が無いかを判断する（ステップＳ２８）。
【００７２】
印刷ジョブが終了してから、タッチパネル操作等、何らかの入力操作がある場合（ステ
ップＳ２８においてＮＯ）、ユーザが操作中であると判断して、「経過時間」を「０」に
リセットし（ステップＳ２９）、ステップＳ２６に戻り、原稿がプラテン５等に載置され
ているか否かを判断する。この時点で、原稿が取り除かれた場合には、原稿が載置されて
いないと判断して（ステップＳ２６においてＮＯ）、終了画面３１を表示する（ステップ
Ｓ５）。
【００７３】
入力操作がないと判断した場合（ステップＳ２８においてＹＥＳ）、カウンタが計測し
た経過時間が所定時間（例えば１分）以上であるか否かを判断する（ステップＳ３０）。
経過時間が、所定時間以上であると判断した場合には（ステップＳ３０においてＹＥＳ）
、上記した警告表示を行う（ステップＳ６）。これにより、ユーザが続けてコピーを行わ
ず、終了する場合にも、見慣れない警告画面３２，３３をディスプレイ８に表示すること
によって、原稿を取るように促すことができる。また、経過時間が所定時間未満である場
合には（ステップＳ３０においてＮＯ）、ステップＳ２７に戻り、入力操作が行われない
状態の経過時間を測定する。
【００７４】
第５の実施形態によれば、第１の実施形態の（１）〜（４）に記載の効果に加えて以下
のような効果を得ることができる。
（９）第５の実施形態では、印刷ジョブが終了した後、ユーザによる入力操作が所定時
間以上無い場合に、コピー作業終了であると判断する。このため、ユーザが複写装置１を
操作中にも関わらず、原稿の取り忘れを警告する警告画面３２，３３を表示することを防
止することができる。的確なタイミングで原稿の取り忘れの警告を行うことができる。
【００７５】
尚、本実施形態は以下のように変更してもよい。
・第１の実施形態では、第１〜第ｎの警告パターンを予め決められた順番に従って繰り
返すようにしたが、各警告パターンの中から一つのパターンを無作為に選択しても良い。
【００７６】
・第１実施形態では、人感センサ装置Ｓを省略するようにしてもよい。
・第１実施形態では、複写装置画像３２ａのうち、カバー画像３２ｃ等を赤く表示する
ようにした。また、人物画像３２ｂのうち、顔３２ｆ等を赤く表示するようにした。これ
以外に、ＣＰＵ１１により、複写装置画像３２ａ又は人物画像３２ｂのうち、警告色（第
１の実施形態では赤）にする部分を、逐次選択するようにしても良い。例えば、人物画像
３２ｂのうち、１回目は顔３２ｆのみを赤く表示し、２回目に第１警告画面３２を表示す
る場合には、手３２ｇ及び脚３２ｈのみを赤く表示するようにしてもよい。このようにす
ると、複写装置１を何回も利用するユーザにとっても、原稿を取り忘れた際に、常に異な
る画面が表示されるため、原稿の取り忘れにすぐに気付くことができる。
【００７７】
・複写装置１のＣＰＵ１１は、所定期間毎に警告パターンを変更するようにしてもよい
。例えば、１月には警告画面３２を表示し、２月には第２の警告画面を表示するようにし
てもよい。このようにすると、ユーザが警告画面に慣れる前に、新たな画面に切り替える
ことができるので、ユーザにとって見慣れない警告画面を表示することができる。
【００７８】
・上記実施形態では、第２警告画面３３を、境界３３ｄによって右側画像３３ａと左側
画像３３ｂとに分裂させて表示するようにしたが、図１３に示すように、上側画像３５ａ
と、下側画像３５ｂとに分裂させた警告画面３５でもよい。また、上側画像３５ａと下側
画像３５ｂとの間に、原稿の確認を促す案内表示３５ｃを表示するようにしてもよい。ま
た、図１４に示すように左側画像３６ａ及び右側画像３６ｂに分裂させた警告画面３６で
もよい。また、左側画像３６ａ及び右側画像３６ｂの間に、案内表示３６ｃを表示するよ
うにしてもよい。さらには、通常より明度が高い画面や、第２警告画面３３の一部が崩れ
た画像等、通常表示されている終了画面３１（図６（ａ）参照）等を一部変形させた画面
であってもよい。
【図面の簡単な説明】
【００７９】
【図１】本実施形態の複写装置の概略図。
【図２】複写装置のブロック図。
【図３】第１実施形態の処理手順の説明図。
【図４】警告表示の処理手順の説明図。
【図５】終了確認画面の説明図。
【図６】（ａ）は終了画面、（ｂ）は第１警告画面の説明図。
【図７】第２警告画面の説明図。
【図８】第２実施形態の処理手順の説明図。
【図９】第３実施形態の複写装置のブロック図。
【図１０】第３実施形態の処理手順の説明図。
【図１１】第４実施形態の処理手順の説明図。
【図１２】第５実施形態の処理手順の説明図。
【図１３】別例の警告画面の説明図。
【図１４】別例の警告画面の説明図。
【符号の説明】
【００８０】
１…複写装置、２…読み取り手段としてのスキャナ、２ａ…用紙検出手段としてのライ
ンセンサ、２ｄ…用紙検出手段としての紙検出センサ、３…複写手段としてのプリンタ、
４…載置領域としてのＡＤＦ、５…載置領域としてのプラテン、８…表示手段及び終了操
作部としてのディスプレイ、９…精算装置としての精算機、１１…作業終了判断手段、第
１出力制御手段、第２出力制御手段、載置判断手段としてのＣＰＵ、１８…人感センサ装
置、２０…撮影装置としてのカメラ、２１…画像処理手段としての画像処理部、３０…終
了確認画面、３１…終了案内画面としての終了画面、３２…第１警告画面、３３…第２警
告画面、３５，３６…警告画面、Ｇ…原稿、Ｐ…印刷物、Ｓ…人感センサ装置。
【図１】
2009134215.tif 000003
【図２】
2009134215.tif 000004
【図３】
2009134215.tif 000005
【図４】
2009134215.tif 000006
【図５】
2009134215.tif 000007
【図６】
2009134215.tif 000008
【図７】
2009134215.tif 000009
【図８】
2009134215.tif 000010
【図９】
2009134215.tif 000011
【図１０】
2009134215.tif 000012
【図１１】
2009134215.tif 000013
【図１２】
2009134215.tif 000014
【図１３】
2009134215.tif 000015
【図１４】
2009134215.tif 000016